(57)【要約】【課題】ユーザが再生させる音質の選択を行わなくとも、アンプが対応する音声フォーマットを双方向のインタフェースを介して調べ、高音質な音声を自動的に再生する光ディスク装置を提供する。【解決手段】光ディスク９０が装置本体にセットされると、制御部４は、本編のコンテンツに先立ってメニュー画面を再生する。タイトル選択キーで再生すべきタイトルが選択されると、制御部４は、条件Ａが全て成立するかどうか判定する。条件Ａが全て成立する場合、制御部４は、条件Ｂが全て成立するかどうか判定する。条件Ｂが全て成立する場合、制御部４は、第一音声フォーマット情報および第二音声フォーマット情報が一致するフォーマットの中で最も高音質なDTS-HD Master Audioの音声データストリームを再生時に読み取るようＰＵヘッド２に指示する。そして、制御部４は本編のコンテンツの再生を開始する。【選択図】  図６
2010165425.tif 000002
【特許請求の範囲】
【請求項１】
複数の音質の音声のそれぞれが音声データストリームとして記録されている光ディスクにレーザ光を照射し、該光ディスクに記録されている複数の音声データストリームの中から選択された音声データストリームを再生する再生手段と、
音声信号をスピーカに出力するアンプと双方向型のインタフェースを介して接続される出力手段であって、前記再生手段によって再生された前記音声データストリームを前記インタフェースを介して前記アンプに送信する出力手段と、
を備えた光ディスク装置において、
前記再生手段に再生させる音声データストリームの選択を受け付ける選択手段と、
前記音声データストリームの再生に先立って、前記アンプと前記インタフェースを介して通信して、前記アンプが対応する音声データストリームのフォーマットを示す第一音声フォーマット情報を取得する制御手段と、を備え、
前記再生手段は、前記音声データストリームの再生に先立って、前記光ディスクに記録されている複数の音声データストリームのフォーマットを示す第二音声フォーマット情報を前記光ディスクから読み取って前記制御手段に伝送し、
前記制御手段は、装置本体に前記光ディスクがセットされると、又は前記光ディスクがセットされている状態で装置本体の電源がオンされると、前記再生手段に再生させる音声データストリームが前記選択手段で選択されたかどうか判定し、
前記再生手段に再生させる音声データストリームが前記選択手段で選択されていないと判定した時、前記第一音声フォーマット情報および前記第二音声フォーマット情報が一致するフォーマットの中で最も高音質な音声データストリームを再生時に選択するよう前記再生手段に指示することを特徴とする光ディスク装置。
【請求項２】
装置本体で使用する言語を登録する記憶手段を備え、
前記光ディスクには、複数の言語の音声のそれぞれが前記音声データストリームとして記録されており、
前記制御手段は、前記再生手段に再生させる音声データストリームが前記選択手段で選択されていないと判定した時、前記第一音声フォーマット情報および前記第二音声フォーマット情報が一致するフォーマットの中で、前記記憶手段に登録されている言語で最も高音質な音声データストリームを再生時に選択するよう前記再生手段に指示することを特徴とする請求項１に記載の光ディスク装置。
【請求項３】
前記インタフェースは、ＨＤＭＩ規格のインタフェースであり、
前記光ディスクは、ブルーレイディスクであり、
前記アンプは、ＡＶアンプであることを特徴とすることを特徴とする請求項１又は２に記載の光ディスク装置。
【発明の詳細な説明】
【技術分野】
【０００１】
本発明は、光ディスクに記録されている複数の音声データストリームの中から選択された音声データストリームを再生する光ディスク装置に関するものである。
【背景技術】
【０００２】
従来から、ブルーレイディスク等の光ディスクに記録されている画像や音声を再生する光ディスク装置が実用化され、一般に普及している。洋画などが記録されている光ディスクには、光ディスク装置に接続されるアンプの機能に合わせて複数の音質の音声が、オーサリングされていることが多い。例えばブルーレイディスクであれば、複数の音質の音声には、最も高音質なDTS-HD Master Audio、２番目に高音質なDolby TrueHDなどがある。ここで、DTSは、Digital Theater Systemsの略であり、ドルビーディジタルの後発規格である。複数の音質の音声の再生を実現するため、光ディスクには複数の音声データストリームが記録されている。
【０００３】
光ディスク装置は、複数の音声データストリームが記録された光ディスクが装置本体にセットされると、一般的に、本編の再生に先立ってメニュー画面を再生する。ユーザは再生させる音質の選択をこのメニュー画面で行う。すると光ディスク装置は、光ディスクに記録されている複数の音声データストリームの中から、ユーザが選択した音質の音声データストリームをアンプを介して再生する。これによりユーザは、アンプに接続されるスピーカから所望の音質の音声を聴くことができる。
なお、特許文献１では、映像音声再生装置が提案されている。
【先行技術文献】
【特許文献】
【０００４】
【特許文献１】特開２００８−５２８８７公報
【発明の概要】
【発明が解決しようとする課題】
【０００５】
しかしながら、音質の選択を行う手間を嫌う等の理由により、ユーザが再生させる音質の選択を行わない場合もあった。この場合、高音質の音声データストリームが記録されており、且つその高音質の音声データストリームをアンプが処理して音声信号をスピーカに出力できる環境下でも、従来の光ディスク装置は、光ディスクに記録されている制御プログラムで予め定められたデフォルトの低音質の音声データストリームを再生していた。
そのため、従来の光ディスク装置では、高音質の音声が光ディスクに記録されており、且つその高音質の音声データストリームをアンプが処理して音声信号をスピーカに出力できる環境下でも、その低音質の音声が再生されることがあった。
【０００６】
本発明はこのような従来の課題を解決しようとするものであり、ユーザが再生させる音質の選択を行わなくとも、アンプが対応する音声フォーマットを双方向のインタフェースを介して調べ、高音質な音声を自動的に再生する光ディスク装置を提供することを目的とする。
【課題を解決するための手段】
【０００７】
本発明の光ディスク装置は、前記課題を解決するために以下の構成を備えている。
【０００８】
（１）複数の音質の音声のそれぞれが音声データストリームとして記録されている光ディスクにレーザ光を照射し、該光ディスクに記録されている複数の音声データストリームの中から選択された音声データストリームを再生する再生手段と、
音声信号をスピーカに出力するアンプと双方向型のインタフェースを介して接続される出力手段であって、前記再生手段によって再生された前記音声データストリームを前記インタフェースを介して前記アンプに送信する出力手段と、
を備えた光ディスク装置において、
前記再生手段に再生させる音声データストリームの選択を受け付ける選択手段と、
前記音声データストリームの再生に先立って、前記アンプと前記インタフェースを介して通信して、前記アンプが対応する音声データストリームのフォーマットを示す第一音声フォーマット情報を取得する制御手段と、を備え、
前記再生手段は、前記音声データストリームの再生に先立って、前記光ディスクに記録されている複数の音声データストリームのフォーマットを示す第二音声フォーマット情報を前記光ディスクから読み取って前記制御手段に伝送し、
前記制御手段は、装置本体に前記光ディスクがセットされると、又は前記光ディスクがセットされている状態で装置本体の電源がオンされると、前記再生手段に再生させる音声データストリームが前記選択手段で選択されたかどうか判定し、
前記再生手段に再生させる音声データストリームが前記選択手段で選択されていないと判定した時、前記第一音声フォーマット情報および前記第二音声フォーマット情報が一致するフォーマットの中で最も高音質な音声データストリームを再生時に選択するよう前記再生手段に指示することを特徴とする。
【０００９】
この構成では、音声データストリームの再生に先立って、制御手段が、第一音声フォーマット情報および第二音声フォーマット情報を取得する。音声フォーマットの種類は、例えばDTS-HD Master Audio、Dolby TrueHDである。そして、光ディスクが装置本体にセットされると、又は光ディスクがセットされている状態で装置本体の電源がオンされると、制御手段は、ユーザが選択手段で音声データストリームを選択したかどうか判定する。音声データストリームが選択手段で選択されていないと判定した時、制御手段は、第一音声フォーマット情報および第二音声フォーマット情報が一致するフォーマットの中で最も高音質な音声データストリームを再生時に選択するよう再生手段に指示する。すると、再生手段は、光ディスクに記録されている複数の音声データストリームの中から、制御手段により選択された音声データストリームを再生する。これにより、高音質な音声がスピーカから出力される。
以上より、この構成では、ユーザが再生させる音質の選択を行わなくとも、アンプが対応する音声フォーマットを双方向型のインタフェースを介して調べ、高音質な音声を自動的に再生することができる。従って、再生させる音質の選択を行わなくとも、ユーザは高音質な音声で光ディスクのコンテンツを聴くことができる。
【００１０】
（２）装置本体で使用する言語を登録する記憶手段を備え、
前記光ディスクには、複数の言語の音声のそれぞれが前記音声データストリームとして記録されており、
前記制御手段は、前記再生手段に再生させる音声データストリームが前記選択手段で選択されていないと判定した時、前記第一音声フォーマット情報および前記第二音声フォーマット情報が一致するフォーマットの中で、前記記憶手段に登録されている言語で最も高音質な音声データストリームを再生時に選択するよう前記再生手段に指示することを特徴とする。
【００１１】
光ディスク装置は、一般的に、セットアップ画面（初期設定画面）上において、字幕言語などの設定をユーザに行わせる。記憶手段は、この設定された設定言語を記憶する。
この構成において制御手段は、設定言語と同じ言語の音声データストリームを再生時に選択するよう再生手段に指示している。そのため、ユーザにとって望まない言語の音声が再生されてしまうのを防止できる。
【００１２】
（３）前記インタフェースは、ＨＤＭＩ規格のインタフェースであり、
前記光ディスクは、ブルーレイディスクであり、
前記アンプは、ＡＶアンプであることを特徴とすることを特徴とする。
【発明の効果】
【００１３】
この発明によれば、再生させる音質の選択を行わなくとも、ユーザは高音質な音声で光ディスクのコンテンツを聴くことができる。
【図面の簡単な説明】
【００１４】
【図１】本発明の実施形態である光ディスク装置の主要な構成を示すブロック図
【図２】上記ＡＶアンプの主要な構成を示すブロック図
【図３】上記光ディスク装置と上記ＡＶアンプの両制御部が電源オン時に行う動作を示すフローチャート
【図４】ＲＡＭ４Ａ上に展開されるＥＤＩＤの内容の一例を示す図
【図５】上記光ディスク装置の制御部が光ディスクのセット時に行う動作を示すフローチャート
【図６】ＲＡＭ４Ａ上に展開される制御情報の内容の一例を示す図
【発明を実施するための形態】
【００１５】
以下、本発明の実施形態である光ディスク装置について説明する。
【００１６】
図１は、本発明の実施形態である光ディスク装置の主要な構成を示すブロック図である。光ディスク装置１は、装置本体にセットされている光ディスク９０からデータを読取るピックアップヘッド２（以下、ＰＵヘッド２と称する。）と、RFアンプなどの再生部３と、装置本体１の各部の動作を制御する制御部４と、ユーザからの入力操作を受け付ける操作部５と、データを記憶する記憶部６と、情報を表示する表示部７と、画像信号を出力する画像出力部８と、音声信号を出力する音声出力部９と、HDMIポート２０と、を備えている。
【００１７】
光ディスク９０は、ブルーレイディスクであり、光ディスク装置１は、所謂ブルーレイプレーヤである。光ディスク９０には、メニュー画面を含むメニュー用コンテンツと、洋画などを含む本編用のコンテンツと、が記録されている。ここで、光ディスク９０には、この本編用のコンテンツについて複数の音質の音声がオーサリングされているものとする。複数の音質の音声には、最も高音質なDTS-HD Master Audio、２番目に高音質なDolby TrueHDなどがある。複数の音質と複数の言語の音声の再生を実現するため、光ディスク９０には複数の音声データストリームが記録されている。
【００１８】
また、光ディスク装置１は、HDMIポート２０に差し込まれたHDMIケーブル２１を介して、HDMI規格対応のオーディオビジュアルアンプ（ＡＶアンプと称する。）１００に接続されている。この実施形態では、光ディスク装置１とＡＶアンプ１００とで再生システムを構成している。
【００１９】
ここで、ＰＵヘッド２及び再生部３が、本発明の「再生手段」に相当する。また、HDMIポート２０及びHDMIケーブル２１が、本発明の「インタフェース」に相当する。また、音声出力部９が、本発明の「出力手段」に相当する。また、ＡＶアンプ１００が、本発明の「アンプ」に相当する。
【００２０】
なお、ＨＤＭＩは、High  Definition  Multimedia  Interfaceの略であり、ブルーレイプレーヤ等の光ディスク装置からテレビ受像機やアンプ等の出力装置へディジタルＡ／Ｖ信号を伝送するためのインタフェースである。ＨＤＭＩは、従来の規格であるＤＶＩ（Digital   Visual  Interface  for  Computer）Ver1.0を拡張したものである。具体的には、ＤＶＩは画像情報のみを送信する規格であるのに対し、ＨＤＭＩは、画像情報の他、音声情報およびその他の情報も一のケーブルで送信できる規格である。さらに、ＨＤＭＩは、高品質のマルチチャンネル音声と高解像度の各種フォーマットの画像信号（映像信号）の伝送が可能である。ＨＤＭＩは、DDC（Display  Date  Channel）により、ＡＶアンプ１００が光ディスク装置１に送信する情報を伝送することができる。DDCは、通信形式の名称である。
【００２１】
ＰＵヘッド２は、図示しないレーザダイオード（ＬＤ）、コリメータレンズ、ビームスプリッタ、対物レンズ、フォトディテクタ、スレッドモータ、及び２軸のアクチュエータを備えている。
【００２２】
ＰＵヘッド２は、光ディスク９０の半径方向に延びる軸に移動自在に取り付けられている。スレッドモータが、ＰＵヘッド２を光ディスク９０の半径方向に移動する。ＬＤは、レーザ光を出力する光源である。フォトディテクタは、複数の受光素子で形成されており、光ディスク９０からの反射光を検出する。対物レンズは、光ディスク９０に対するレーザ光の照射位置を調節する。また、２軸のアクチュエータは、対物レンズを光ディスク９０に接離する方向、及び光ディスク９０の半径方向に移動させる。
【００２３】
まず、再生動作を行う構成について説明する。
【００２４】
ＰＵヘッド２は、光ディスク９０に対して読取パワーのレーザ光を照射し、光ディスク９０からの反射光をフォトディテクタで検出する。これにより、光ディスク９０に記録されている画像データを光学的に読み出す。また、光ディスク９０に記録されている複数の音声データストリームの内、制御部４によって選択されている音声データストリームを光学的に読み出す。
【００２５】
再生部３は、ＰＵヘッド２における複数の受光素子の出力に基づいてＲＦ信号を生成し、該ＲＦ信号を増幅する。そして、再生部３は、該ＲＦ信号を処理して画像データと選択されている音声データストリームとを取り出し、それぞれデコードする。ここで、取り出される画像データは、例えばＭＰＥＧでエンコードされている。また、取り出される音声データストリームは、例えばドルビーディジタルやDTSでエンコードされている。そして、再生部３は、音声データストリームを音声出力部９に、画像データを画像出力部８に、両データの同期を取りながら、それぞれ出力する。
【００２６】
画像出力部８は、制御部４によって設定された形式で、伸長された画像データをディジタルの再生画像信号としてＡＶアンプ１００に出力する。
【００２７】
一方、音声出力部９は、伸長された音声データストリームをディジタルの再生音声信号として外部のＡＶアンプ１００に出力する。例えば光ディスク９０に記録されている音声フォーマットがDTS-HD Master Audio、又はDolby TrueHDであり、且つＡＶアンプ１００がこの音声フォーマットに対応していれば、音声出力部９は、７．１ＣＨサラウンドシステムに対応する再生音声信号をＡＶアンプ１００に出力する。この再生音声信号には、フロントＬ−Ｒの信号成分を含むストリーム信号ＦＬ−ＦＲと、サラウンドＬ−Ｒの信号成分を含むストリーム信号ＳＬ−ＳＲと、サラウンドバックＬ−Ｒの信号成分を含むストリーム信号ＳＢＬ−ＳＢＲと、センタＣ及びサブウーファＳＷの信号成分を含むストリーム信号Ｃ−ＳＷと、が時分割で多重化されている。
【００２８】
音声出力部９及び画像出力部８は、HDMIポート２０に差し込まれたHDMIケーブル２１を介してＡＶアンプ１００に繋がっている。音声出力部９及び画像出力部８は、上記のディジタル信号を、ＨＤＭＩケーブル２１を介して、ＴＭＤＳ（Transition  Minimized  Differential  Signaling）方式でＡＶアンプ１００に送信する。
【００２９】
図２は、上記ＡＶアンプの主要な構成を示すブロック図である。ＡＶアンプ１００は、ＨＤＭＩケーブル２１に接続されるHDMIポート１２０と、ＨＤＭＩケーブル２２に接続されるHDMIポート１２１と、HDMIポート１２０に入力された再生画像信号をHDMIポート１２１から送信する画像伝送部１０１と、HDMIポート１２０に入力された再生音声信号を処理して送信する音声処理部１０３と、ＡＶアンプ１００の各部の動作を制御する制御部１０２と、を備える。
ＡＶアンプ１００は、音声処理部１０３から伝送される再生音声信号を処理して音声を発する複数のスピーカＳＰ１〜ＳＰ８と、画像伝送部１０１からＨＤＭＩケーブル２２を介して伝送される再生画像信号を処理して画像を表示するテレビジョン２００とに接続されている。テレビジョン２００は、ＨＤＭＩ規格に対応したディジタルテレビである。
【００３０】
画像伝送部１０１は、ＨＤＭＩケーブル２１を介してHDMIポート１２０に入力された再生画像信号をHDMIポート１２１からテレビジョン２００に送信する。
【００３１】
一方、音声処理部１０３は、ＨＤＭＩケーブル２１を介してHDMIポート１２０に入力された再生音声信号を各ストリーム信号に分配する。そして、音声処理部１０３は、各ストリーム信号に対してＤＡ変換や増幅等を行い、各ストリーム信号に対応する音声信号をスピーカＳＰ１〜ＳＰ８に出力する。スピーカＳＰ１〜ＳＰ８は、入力される音声信号に基づく音声を放音する。
【００３２】
以上の構成により、ユーザは、テレビジョン２００で表示される画像、及びスピーカＳＰ１〜ＳＰ８から放音される７．１ＣＨの音声を視聴することができる。
【００３３】
図１に戻り、操作部５には、ユーザが光ディスク装置１に対して各種の命令（コマンド）を入力するための複数のキーが設けられている。この複数のキーには、光ディスク９０の再生を実行するための再生キー、再生すべきタイトルの選択を受け付けるタイトル選択キー、再生させる音質の選択を受け付ける音質選択キー、ＯＳＤ（On-Screen Display）や表示部７で表示する際の言語の設定を受け付ける言語設定キー、後述のＭＩＸ設定のオンとオフを切り替えるＭＩＸキー、装置本体１の電源オンと電源オフを切替える電源キー、が設けられている（いずれも不図示）。光ディスク装置１に対してユーザが入力したコマンドは制御部４に伝送される。言語の設定やＭＩＸ設定のオンとオフは、制御部４によって記憶部６に保存される。
【００３４】
記憶部６は、例えばＥＥＰＲＯＭで構成されている。記憶部６は、装置本体１の各部の制御方法が記述された制御プログラムを記憶する。
【００３５】
ＨＤＭＩポート２０は、ＨＤＭＩケーブル２１により、光ディスク装置１とＡＶアンプ１００との接続の有無を検出している。具体的には、ＨＤＭＩケーブル２１は、ＨＰＤ（Hot  Plug  Detector）機能を有し、このＨＰＤから、接続の有無の情報を受け取る。ＨＤＭＩポート２０は、ＨＰＤから受け取った接続の有無の情報を、装置本体内部の通信線を介して制御部４に送信する。
なお、ＡＶアンプ１００のHDMIポート１２０もＨＤＭＩポート２０と同様の構成となっている。
【００３６】
制御部４は、例えばマイクロコンピュータで構成されている。また、制御部４は、上記制御プログラムで処理されるデータを展開するためのワークフィールドとしてのＲＡＭ４Ａを内蔵する。制御部４は、光ディスク装置１にユーザから入力された命令に応じて光ディスク装置１の各部を制御する。
また、制御部４は、ＨＤＭＩケーブル２１を介してＡＶアンプ１００の制御部１０２と通信する。
【００３７】
図３は、上記光ディスク装置と上記ＡＶアンプの両制御部が電源オン時に行う動作を示すフローチャートである。図４は、ＲＡＭ４Ａ上に展開されるＥＤＩＤの内容を示す図である。
【００３８】
電源キーが押下されると、制御部４と制御部１０２は、光ディスク装置１とＡＶアンプ１００との接続を検知して、ＨＤＭＩケーブル２１を介してＥＤＩＤの通信を行う（Ｓ１、Ｓ１０１）。制御部１０２は、ＥＤＩＤの通信において、不図示のＲＯＭに予め保存されているＥＤＩＤをＨＤＭＩポート１２０からＨＤＭＩケーブル２１を介して制御部４に送信する（Ｓ１０２）。そして、制御部１０２は、光ディスク装置１からの入力信号を待ち受ける待機状態に移行する。ここで、ＥＤＩＤは、ＡＶアンプ１００のスペック（仕様や特性）を示す情報であり、ＥＤＩＤには、接続機器が対応する音声フォーマットを示す第一音声フォーマット情報が記述されている。
【００３９】
ＥＤＩＤの通信によりＥＤＩＤがＨＤＭＩポート２０で受信されると、ＥＤＩＤは、制御部４のＲＡＭ４Ａに展開される（Ｓ２のＹ）。これにより、制御部４は、ＡＶアンプ１００が対応する音声フォーマットを認識する（図３参照）。そして、制御部４は、ユーザからの操作入力を待ち受ける待機状態に移行する。
【００４０】
図５は、上記光ディスク装置の制御部が光ディスクのセット時に行う動作を示すフローチャートである。図６は、ＲＡＭ４Ａ上に展開される制御情報の内容を示す図である。ブルーレイディスクである光ディスク９０が装置本体にセットされると、又は光ディスク９０がセットされている状態で装置本体の電源がオンされると、制御部４は、図５に示す音声変更処理を実行する。
【００４１】
制御部４は、制御プログラムを含む制御情報を光ディスク９０から読み取るようＰＵヘッド２に指示し、制御情報を再生部３を介して取得する（Ｓ１１）。この制御情報は制御部４のＲＡＭ４Ａ上に展開され、制御部４は、光ディスク９０に記録されている音声フォーマットを認識する（図６参照）。図６における○印は、音声データストリームが存在することを示している。そのため、図６では、英語のDTS-HD Master Audioの音声データストリームが存在しない。
【００４２】
制御部４は、本編のコンテンツに先立ってメニュー用コンテンツを再生する（Ｓ１２）。これにより、本編のコンテンツを構成する全タイトルの内、再生すべきタイトルの選択を要求するメニュー画面がテレビジョン２００で表示される。これによりＳ１２では、ユーザが、再生させるタイトルをタイトル選択キーで選択できるとともに、本編のコンテンツについて再生させる音質を音質選択キーで選択できる状態となる。
【００４３】
タイトル選択キーで再生すべきタイトルが選択されると（Ｓ１３のＹ）、制御部４は、条件Ａが全て成立するかどうか判定する（Ｓ１４）。条件Ａとは、再生させる音質が音質選択キーで選択されていないこと（即ちデフォルトの音質で再生される場合）、光ディスク９０に記録されている制御プログラムで予め定められたデフォルトで再生される音声がDTS-HD Master Audio又はDolby TrueHDのいずれの音声でもないこと、である。
【００４４】
再生させる音質が音質選択キーで選択されている場合（Ｓ１４のＮ）、制御部４は、音質選択キーで選択された音質に対応する音声データストリームを再生時に読み取るようＰＵヘッド２に指示する（Ｓ１９）。そして、制御部４は、Ｓ１３で選択されたタイトル（即ち本編のコンテンツ）の再生を開始する（Ｓ２０）。この場合、ユーザが自分の意思で選択した音質で再生される。
【００４５】
また、再生させる音質が音質選択キーで選択されていなくとも、デフォルトで再生される音声がDTS-HD Master Audio又はDolby TrueHDのいずれかの音声である場合（Ｓ１４のＮ）、制御部４は、DTS-HD Master Audioの音声データストリームを再生時に読み取るようＰＵヘッド２に指示する（Ｓ１９）。そして、制御部４は、Ｓ１３で選択されたタイトル（即ち本編のコンテンツ）の再生を開始する（Ｓ２０）。この場合、ユーザは自分の意思で音質を選択していないものの、高音質な音声が再生される。そのため、制御部４は音質の変更が不要であると判断する。
【００４６】
しかし、条件Ａが全て成立する場合（Ｓ１４のＹ）、即ち、再生させる音質が音質選択キーで選択されておらず、且つデフォルトで再生される音声がDTS-HD Master Audio又はDolby TrueHDのいずれの音声でもない場合、低音質な音声が再生されるため、制御部４はＳ１５に進む。
【００４７】
制御部４は、条件Ｂが全て成立するかどうか判定する（Ｓ１５）。条件Ｂとは、DTS-HD Master Audioの言語が光ディスク装置１の初期設定画面で言語設定キーにより設定された設定言語と同じ言語であること、DTS-HD Master Audio対応のＡＶアンプにＨＤＭＩで接続されていること、ＭＩＸ設定が予めオフされていること、である。ＭＩＸ設定とは、映画の音声である主音声と、映画監督のコメントなどの副音声と、効果音などのインタラクティブ音声と、をＭＩＸして再生する設定である。ここで、Ｓ１５の判定の内、DTS-HD Master Audioの言語が設定言語と同じ言語であるかどうかについては、図６に示すＲＡＭ４Ａ上の第二音声フォーマット情報と記憶部６の記憶内容とを参照することにより行われる。また、DTS-HD Master Audio対応のＡＶアンプにＨＤＭＩで接続されているかどうかについては、ＲＡＭ４Ａ上のＥＤＩＤを参照することにより行われる。
【００４８】
条件Ｂが全て成立する場合、制御部４は、図４に示す第一音声フォーマット情報および図６に示す第二音声フォーマット情報が一致するフォーマットの中で最も高音質なDTS-HD Master Audioの音声データストリームを再生時に読み取るようＰＵヘッド２に指示する（Ｓ１９）。そして、制御部４はＳ１３で選択されたタイトル（即ち本編のコンテンツ）の再生を開始する（Ｓ２０）。この場合、再生させる音質をユーザは選択していないが、光ディスク装置１は高音質なDTS-HD Master Audioで本編のコンテンツを再生する。
【００４９】
一方、条件Ｂが全て成立しない場合、制御部４はＳ１６に進む。即ち、DTS-HD Master Audioの言語が光ディスク装置１の初期設定画面で言語設定キーにより設定された設定言語と同じ言語でない場合、例えばDTS-HD Master Audioの言語が日本語で設定言語が英語の場合（図６参照）、制御部４はＳ１６に進む。また、DTS-HD Master Audio対応のＡＶアンプにＨＤＭＩで接続されていない場合も、制御部４はＳ１６に進む。同様に、ＭＩＸ設定が予めオンされている場合も、制御部４はＳ１６に進む。
【００５０】
そして、制御部４は、条件Ｃが全て成立するかどうか判定する（Ｓ１６）。条件Ｃとは、Dolby TrueHDの言語が光ディスク装置１の初期設定画面で言語設定キーにより設定された設定言語と同じ言語であること、Dolby TrueHD対応のＡＶアンプにＨＤＭＩで接続されていること、ＭＩＸ設定が予めオフされていること、である。ここで、Ｓ１６の判定は、Ｓ１５の判定と同様の方法で判定される。
【００５１】
条件Ｃが全て成立しない場合、制御部４はＳ１９、Ｓ２０の順に進む。即ち、DTS- Dolby TrueHDの言語が設定言語と同じ言語でない場合、制御部４はＳ１３で選択されたタイトル（即ち本編のコンテンツ）をデフォルトの音質で再生開始する（Ｓ１９、Ｓ２０）。また、Dolby TrueHD対応のＡＶアンプにＨＤＭＩで接続されていない場合も、制御部４はＳ１３で選択されたタイトル（即ち本編のコンテンツ）をデフォルトの音質で再生開始する（Ｓ１９、Ｓ２０）。また、ＭＩＸ設定が予めオンされている場合、制御部４はＳ１３で選択されたタイトル（即ち本編のコンテンツ）をＭＩＸ設定で再生開始する（Ｓ１９、Ｓ２０）。
【００５２】
一方、条件Ｃが全て成立する場合、制御部４は、第一音声フォーマット情報および第二音声フォーマット情報が一致するフォーマットの中で最も高音質となるDolby TrueHDの音声データストリームを再生時に読み取るようＰＵヘッド２に指示する（Ｓ１９）。そして、制御部４はＳ１３で選択されたタイトル（即ち本編のコンテンツ）の再生を開始する（Ｓ２０）。この場合、再生させる音質をユーザは選択していないが、光ディスク装置１は２番目に高音質なDolby TrueHDで本編のコンテンツを再生する。
【００５３】
以上より、光ディスク装置１では、ユーザが再生させる音質の選択を行わなくとも、ＡＶアンプ１００が対応する音声フォーマットをＨＤＭＩ規格のインタフェースを介して調べ、高音質な音声を自動的に再生することができる。従って、再生させる音質の選択を行わなくとも、ユーザは高音質な音声で光ディスク９０のコンテンツを視聴することができる。
【００５４】
また、本編の再生を開始する前の上記Ｓ１５〜Ｓ１８において、変更先の音声データストリームの言語が光ディスク装置１の初期設定画面で言語設定キーにより設定された設定言語と同じ言語であるどうか確認してから、高音質なDTS-HD Master Audio やDolby TrueHDに変更している。そのため、ユーザにとって望まない言語の音声が再生されてしまうのを防止できる。
【符号の説明】
【００５５】
１…光ディスク装置
２…ピックアップヘッド
３…再生部
４…制御部
４Ａ…ＲＡＭ
５…操作部
６…記憶部
７…表示部
８…画像出力部
９…音声出力部
９０…光ディスク
２０…ＨＤＭＩポート
２１…ＨＤＭＩケーブル
２２…ＨＤＭＩケーブル
１００…ＡＶアンプ
１０１…画像伝送部
１０２…制御部
１０３…音声処理部
１２０…ＨＤＭＩポート
１２１…ＨＤＭＩポート
２００…テレビジョン
【図１】
2010165425.tif 000003
【図２】
2010165425.tif 000004
【図３】
2010165425.tif 000005
【図４】
2010165425.tif 000006
【図５】
2010165425.tif 000007
【図６】
2010165425.tif 000008